(57)【要約】【課題】  本発明は、着脱が容易なヘルメットを提供することを課題とする。【解決手段】  使用者の頭部、左右の耳及び左右の頬を覆い、顔面を開放してなるオープンフェース型ヘルメットにおいて、左右の頬を覆う左右の下部シェル１３は、頭部及び耳を覆う上部シェル１１に左右へ開閉可能に連結し、下部シェル１３は、連結機構１２を介して上部シェル１１に連結した。そして、この連結機構１２は、上部シェル１１が保持する保持レバー２７と、この保持レバー２７に取付ける板状スプリング３２と、この板状スプリング３２を押えるバックル２６とから構成したものである。【選択図】      図３
2006097206.tif 000002
【特許請求の範囲】
【請求項１】
使用者の頭部、左右の耳及び左右の頬を覆い、顔面を開放してなるオープンフェース型ヘルメットにおいて、
前記左右の頬を覆う左右の下部シェルは、頭部及び耳を覆う上部シェルに左右へ開閉可能に連結したことを特徴とするヘルメット。
【請求項２】
前記下部シェルは、連結機構を介して前記上部シェルに連結し、この連結機構は、前記上部シェルが保持する保持レバーと、この保持レバーに取付ける板状スプリングと、この板状スプリングを押えるバックルとから構成したことを特徴とする請求項１記載のヘルメット。
【請求項３】
前記下部シェルの開閉軸線は、前記ウインドシールド板解放時の下端ラインの延長線上に沿って設けたことを特徴とする請求項１記載のヘルメット。
【発明の詳細な説明】
【技術分野】
【０００１】
本発明は、左右の耳及び左右の頬を覆い、顔面を開放してなるオープンフェース型ヘルメットの改良技術に関する。
【背景技術】
【０００２】
従来、オープンフェース型ヘルメットにおいて、顔面の前方にウインドシールド板付き補助帽体を開閉可能に備えたものが実用に供されている（例えば、特許文献１参照。）。
【特許文献１】特開２０００−９６３３４公報（図３）
【０００３】
特許文献１の図３は、既存のオープンフェース型ヘルメットを主帽体として、この主帽体に補助帽体を付設したものであり、補助帽体を主帽体の上部に上昇させた状態を示す。
ヘルメット１（符号は同公報のものを流用する。以下同じ。）は、主帽体５と、前面にシールド板４付きの補助帽体６と、この補助帽体６を主帽体５に対して開閉自在に支持する取付ねじ７と、補助帽体６を下降させた状態で、この補助帽体６を固定するロックピン５４を含むロック機構とからなる。
【０００４】
走行時においては、補助帽体６を下降させ、ロックピン５４でロックさせ、補助帽体６を固定し、ヘルメット１の前面からの風を補助帽体６で防ぐと共に、非走行時においては、補助帽体６を上昇させ、開放感を得るようにした。
【０００５】
図７は、特許文献１のヘルメットの正面図であり、補助帽体を外した主帽体５をあらわすものである。主帽体５内面の最大開口部の幅Ａは、ヘルメット内側下部の開口幅Ｂよりも大きく、Ｂ＜Ａとすることを示す。
Ｂ＜Ａとする主な理由は、装着したヘルメット１が容易に頭部から外れないようにし、良好な装着感を得るようにするためである。
【０００６】
しかしながら、ヘルメット内側下部の開口幅は、ヘルメット内面の最大開口幅よりも狭いので、このような形態のヘルメットであっても、ヘルメット着脱が容易なヘルメットが期待されるところである。
【発明の開示】
【発明が解決しようとする課題】
【０００７】
本発明は、着脱が容易なヘルメットを提供することを課題とする。
【課題を解決するための手段】
【０００８】
請求項１に係る発明は、使用者の頭部、左右の耳及び左右の頬を覆い、顔面を開放してなるオープンフェース型ヘルメットにおいて、左右の頬を覆う左右の下部シェルは、頭部及び耳を覆う上部シェルに対して左右へ開閉可能に連結したことを特徴とする。
【０００９】
請求項２に係る発明では、下部シェルは、連結機構を介して上部シェルに連結し、この連結機構は、上部シェルが保持する保持レバーと、この保持レバーに取付ける板状スプリングと、この板状スプリングを押えるバックルとから構成したことを特徴とする。
【００１０】
下部シェルの開閉軸線は、ウインドシールド板解放時の下端ラインの延長線上に沿って設けたことを特徴とする。
【発明の効果】
【００１１】
請求項１に係る発明では、ヘルメットの左右の頬を覆う左右の下部シェルは、上部シェルに左右へ開閉可能に連結したので、下部シェルを開くことで、下部シェルの内幅を広くすることができる。
【００１２】
下部シェルの内幅を広くするようにしたので、ヘルメットの着脱を容易且つ円滑に行うことができるという利点がある。
【００１３】
請求項２に係る発明では、連結機構は、上部シェルで保持レバーを保持し、この保持レバーに板状スプリングを取付け、この板状スプリングに下部シェルを連結するものである。そして、板状スプリングをバックルで押えることで、下部シェルを閉めるようにした。
【００１４】
ヘルメットを装着するときには、バックルで板状スプリングを押える押え操作を行うことにより、この板状スプリングに連結した下部シェルを固定することができる。
また、ヘルメットを脱ぐときには、バックルの押えを外し、板状スプリングを開放する開放操作を行うことにより、下部シェルを左右に広げることができる。
このように、バックルの押え操作又は開放操作という簡単な操作により、ヘルメットの着脱は容易になるという利点がある。
【００１５】
請求項３に係る発明では、下部シェルの開閉軸線は、ウインドシールド板解放時の下端ラインの延長線上に沿って設けたので、ウインドシールド板を引上げたとき、ウインドシールド板に下部シェルが干渉することはない。
ウインドシールド板に下部シェルが干渉することはないため、ウインドシールド板をもつヘルメットであっても、下部シェルの開閉の邪魔にならず、ウインドシールド板を引上げるだけで、簡単に下部シェルを左右に広げることができるという利点がある。
【発明を実施するための最良の形態】
【００１６】
本発明を実施するための最良の形態を添付図に基づいて以下に説明する。なお、図面は符号の向きに見るものとする。
図１は本発明に係るヘルメットの正面図であり、このヘルメット１０は、上部シェル１１と、この上部シェル１１の下方に連結機構１２を介して連結した下部シェル１３と、上部シェル１１の前面に取付け顔面１４を覆うウインドシールド板２１とからなる。そして、この連結機構１２により、左右の下部シェル１３を開閉自在に設け、下部シェル１３に使用者２０の頭部１５にヘルメット１０を保持する顎ひも部１８を設けたものである。
【００１７】
上部シェル１１の内側に衝撃吸収ライナー２２を取付け、この衝撃吸収ライナー２２の内側に使用者２０の頭部１５、耳１６、頬１７に接触する内装パット２３を貼付ける。
衝撃吸収ライナー２２は、シェル２４にかかる衝撃力を、ライナー２２自体が変形することにより和らげる役割を担い、例えば、発泡材が好適である。
【００１８】
内装パット２３は、衝撃吸収ライナー２２と使用者２０の頭部１５の間に介在させ、ヘルメット１０と頭部１５との間のすき間を減らし、所定の衝撃吸収性能を得る部材であり、例えば、ウレタン材などが好適である。内装パット２３は、使用者２０の頭部の形状に合わせて凹むことができ、良好な装着感が得られるように、所定の厚さをもたせて形成したものである。
【００１９】
なお、下部シェル１３の内側の構造は、上部シェル１１と同様な構造である。
すなわち、使用者２０の頭部１５、左右の耳１６及び左右の頬１７を覆い、顔面１４を開放してなるオープンフェース型ヘルメット１０において、左右の頬１７を覆う左右の下部シェル１３は、頭部１５及び耳１６を覆う上部シェル１１に左右へ開閉可能に連結したことを特徴とする。連結機構１２については、次図で詳しく説明する。
【００２０】
図２は図１の２矢視図であり、ヘルメット１０を側面から見た連結機構である。
上部シェル１１と下部シェル１３との境界線２５を水平方向に対して傾きをもたせたので、境界線２５の傾きに合わせてバックル２６を傾けて取付けることを示す。
【００２１】
シェル２４の内側には保持レバー２７を取付け、この保持レバー２７の左右の突片２８の間に、下部シェル１３開閉用のバックル２６を配置し、このバックル２６と左右の突片２８に支軸２９を取付け、この支軸２９を中心に、バックル２６が回動することができるようにする。詳細には次図で説明する。
【００２２】
図３は図２の３−３線断面図であり、下部シェル１３を閉じた状態を示す。
連結機構１２は、上部シェル１１の支え部１１ａに配置した保持レバー２７と、この保持レバー２７の一端に配置し、第１結合部材３１により固定した板状スプリング３２と、この板状スプリング３２の他端３２ｂに第２結合部材３３により固定した下部シェル１３と、保持レバー２７から突設した左右の突片２８と、この左右の突片２８の間に支軸２９を介して回動自在に取付けたバックル２６とからなる。
【００２３】
下部シェル１３の荷重は、第２結合部材３３を介して板状スプリング３２に伝わり、この板状スプリング３２から保持レバー２７に伝わり、この保持レバー２７の他端２７ｂを上部シェル１１の支え部１１ａに当接させることにより受けるようにした。
また、バックル２６の頭部２６ａで板状スプリング３２の表面３４を押すことで、上部シェル１１に対して下部シェル１３が動かないように保持するように構成した。
【００２４】
すなわち、下部シェル１３は、連結機構１２を介して上部シェル１１に連結し、この連結機構１２は、上部シェル１１が保持する保持レバー２７と、この保持レバー２７に取付ける板状スプリング３２と、この板状スプリング３２を押えるバックル２６とにより支持したものといえる。
【００２５】
図４は本発明に係るヘルメットの分解斜視図であり、連結機構１２は、上部シェル１１に穴部３５を開け、この穴部３５の内側から外側に向け保持レバー２７を当てて、この保持レバー２７の左右の突片２８、２８を上部シェル１１に開けた穴部３５から出るように配置し、保持レバー２７の一端２７ａに板状スプリング３２を第１結合部材３１で固定し、板状スプリング３２の他端３２ｂを下部シェル１３に第２結合部材３３で固定し、保持レバー２７の突片２８、２８の間にバックル２６をセットし、突片２８とバックル２６を貫通するように支軸２９を取付けることにより組立てるものである。
【００２６】
図５は本発明に係る連結機構の作用図である。
（ａ）は、バックルを外したことを示す図である。バックル２６の頭部２６ａは、板状スプリング３２に当接していないため、板状スプリング３２には力は加わっておらず、上部シェル１１に対して下部シェル１３はゆるんだ状態にある。下部シェル１３がゆるんだ状態なので、下部シェル１３を矢印３６方向に開くことができる。
【００２７】
（ｂ）は、バックルを閉める途中を示す図である。バックル２６の頭部２６ａが板状スプリング３２に当接し、板状スプリング３２を徐々に押し、上部シェル１１に対して下部シェル１３が規制されつつある状態である。このとき、保持レバー２７の他端２７ｂには、矢印３７方向の力が加わる。
【００２８】
（ｃ）は、バックルを押えた状態を示す図である。バックル２６の頭部２６ａが板状スプリング３２に当接すると共に、バックル２６の押え部３８が下部シェル１３に当たることで、上部シェル１１に対して下部シェル１３を保持することができる。
【００２９】
すなわち、下部シェル１３は、上部シェル１１で保持レバー２７を保持し、この保持レバー２７に板状スプリング３２を取付け、この板状スプリング３２に下部シェル１３を連結したものである。そして、板状スプリング３２をバックル２６で押えることで、下部シェル１３を閉め、保持するようにした。
【００３０】
ヘルメット１０の装着時には、バックル２６で板状スプリング３２を押える押え操作により、この板状スプリング３２に連結した下部シェル１３を固定することができる。
また、ヘルメット１０を脱ぐときには、バックル２６を板状スプリング３２から開放する開放操作により、下部シェル１３を左右に広げることができる。
このように、バックル２６の押え又は開放操作という簡単な操作で、ヘルメット１０を着脱することができる。
【００３１】
図６は連結機構を備えたヘルメットの作用図である。
（ａ）は、ヘルメット１０を着け、バックル２６で、下部シェル１３を保持したことを示す図である。ウインドシールド板２１はセットした状態であり、この状態で、使用者２０の顔面１４をシールドし、ヘルメット１０を使用することができる。
【００３２】
（ｂ）は、バックル２６を外し、下部シェル１３を開放させたことを示す図である。ウインドシールド板２１は上げた状態である。
下部シェル１３の開閉軸線４１は、ウインドシールド板２１解放時の下端ラインの延長線４２上に沿って設けたものである。
【００３３】
下部シェル１３の開閉軸線４１は、ウインドシールド板２１解放時の下端ラインの延長線４２上に沿って設けたので、ウインドシールド板２１を引上げたとき、ウインドシールド板２１に下部シェル１３が干渉することはない。
ウインドシールド板２１に下部シェル１３が干渉することはないため、ウインドシールド板２１をもつヘルメット１０であっても、下部シェル１３の開閉の邪魔にならず、ウインドシールド板２１を引上げるだけで、簡単に下部シェル１３を左右に広げることができる。
【００３４】
（ｃ）は、（ｂ）の状態でヘルメット１０を外すことを示す図である。（ｂ）において、バックル２６を外し、下部シェル１３を左右に開放させたので、使用者２０は、容易にヘルメットを外すことができる。
【００３５】
すなわち、ヘルメット１０の左右の頬１７を覆う左右の下部シェル１３は、上部シェル１１に左右へ開閉可能に連結したので、下部シェル１３を開くことにより、下部シェル１３の内幅を広くすることができる。
【００３６】
下部シェル１３の内幅を広くすることができるので、装着時において、下部シェル１３に備える内装パット２３への頬・側頭部の接触は減ることになるため、ヘルメット１０の着脱を容易に行うことができる。
【００３７】
尚、請求項１では、上部シェルに下部シェルを左右へ開閉可能に連結する連結機構は、保持レバーと、板状スプリングと、バックルとからなる機構に限定されない。例えば、蝶番などの開閉機構と固定用のストッパとから構成したものでも差し支えないものとする。
【産業上の利用可能性】
【００３８】
本発明は、自動二輪車用ヘルメットに好適である。
【図面の簡単な説明】
【００３９】
【図１】本発明に係るヘルメットの正面図である。
【図２】図１の２矢視図である。
【図３】図２の３−３線断面図である。
【図４】本発明に係るヘルメットの分解斜視図である。
【図５】本発明に係る連結機構の作用図である。
【図６】連結機構を備えたヘルメットの作用図である。
【図７】従来の技術を説明する図である。
【符号の説明】
【００４０】
１０…ヘルメット、１１…上部シェル、１２…連結機構、１３…下部シェル、１４…顔面、１５…頭部、１６…耳、１７…頬、２１…ウインドシールド板、２６…バックル、２７…保持レバー、３２…板状スプリング、４１…下部シェルの開閉軸線、４２…ウインドシールド板下端ラインの延長線。
【図１】
2006097206.tif 000003
【図２】
2006097206.tif 000004
【図３】
2006097206.tif 000005
【図４】
2006097206.tif 000006
【図５】
2006097206.tif 000007
【図６】
2006097206.tif 000008
【図７】
2006097206.tif 000009